(57)【特許請求の範囲】
【請求項１】
マッサージで肌に物理的刺激を与え、ひいては筋肉のリラクセーションを助け、代謝作用を活性化し、弾力性のある健康な肌にするマッサージデバイスであって、
たたき部材（２１）を前後に往復して平行移動させるための作動デバイス（１５）が、回転スイッチ（１２）のオン／オフの変化に従ってバッテリー（１００）の電気エネルギーが選択的に供給／遮断される駆動モータ（１３）の回転軸（１４）に取り付けられ、作動デバイス（１５）と相互作用する間ずっと物理的な刺激を与えるたたき部材（２１）を含むとともに、
前記作動デバイス（１５）が、
媒体として接続部（１６ａ）を使って前記駆動モータ（１３）の回転軸（１４）に取り付けられ、一方の側が低く、他方の側が高い傾斜面（１６ｃ）で形成される円形プレートカム（１６ｂ）で作られる主動力部材（１６）と、
前記主動力部材（１６）の円形プレートカム（１６ｂ）の傾斜面に対応する傾斜面（１７ｃ）を持ち、同時にお互いに向き合う平面で接触する円形プレートカム（１７ｂ）を持つ受動部材（１７）と、を備え、
前記円形プレートカム（１７ｂ）の下部には接続柱（２１ｂ）の接続される接続パイプ（１７ａ）が形成され、前記接続柱（２１ｂ）が前記たたき部材（２１）のヘッドマウンティング円形プレート（２１ａ）の上部に形成され、前記円形プレートカム（１７ｂ）の下部が接続パイプ（１７ａ）の外側に置かれた反発ばね（２３）によって弾力性を持って支持される、ことを特徴とするマッサージデバイス。
【請求項２】
前記作動デバイス（１５）が、
前記駆動モータ（１３）の回転軸（１４）に取り付けられる主動力かさ歯車（１６ｄ）と、当該主動力かさ歯車（１６ｄ）とかみ合って相互作用する受動かさ歯車（１６ｅ）と、当該受動かさ歯車（１６ｅ）と相互作用するために同軸に取り付けられるカム（１６ｆ）とで構成される主動力部材（１６）と、
前記主動力部材（１６）のカム（１６ｆ）に近接して前後に動き、前記たたき部材（２１）の接続柱（２１ｂ）にはめ込まれる接続パイプ（１７ａ）を持って形成され、前進の後で回復するために反発ばね（２３）の反発を受けるように取り付けられる受動部材（１７）と、
を備えることを特徴とする請求項１に記載のマッサージデバイス。
【請求項３】
前記作動デバイス（１５）が、
接続部（１６ａ）が前記駆動モータ（１３）の回転軸（１４）に取り付けられ、受動部材（１７）が循環せずに前後に往復運動するように、前記受動部材（１７）のガイド突起（１７ｄ）を導くためのらせん状溝（１６ｇ）が内縁の表面に形成され、垂直ガイド穴（１６ｈ’）を持つガイドパイプ（１６ｈ）がセカンドケース（２０）の内側に配置されて同時に固定される主動力部材（１６）と、
前記主動力部材（１６）のガイドパイプ（１６ｈ）の垂直ガイド穴（１６ｈ’）を通るガイド突起（１７ｄ）が外縁の表面に面するように形成され、当該ガイド突起（１７ｄ）の端部が前記主動力部材（１６）のらせん状溝（１６ｇ）に置かれ、前記たたき部材（２１）の接続柱（２１ｂ）に接続する接続パイプ（１７ａ）が形成される受動部材（１７）と、
を備えることを特徴とする請求項１に記載のマッサージデバイス。
【発明の詳細な説明】
【技術分野】
【０００１】
本発明は、マッサージクリームが塗られた肌をこすり、マッサージで肌に物理的な刺激を与えることができ、ひいては筋肉のリラクセーションを助け、代謝作用を活性化し、弾力性のある健康な肌にすることができるスキン（肌）マッサージ装置に関し、特に、駆動モータの回転運動を直線運動に変え、肌に物理的な刺激を与えるための指圧突起を有するマッサージプレートで肌をたたき、ひいては筋肉のリラクセーションを助け、代謝作用を活性化し、弾力性のある健康な肌を維持するための装置に関する。
【背景技術】
【０００２】
関連出願へのクロスリファレンス
この出願は、２００８年６月３０日に韓国特許商標庁に出願された韓国実用新案出願第２０−２００８−０００８７３８号への優先権を主張する。その出願の全ての開示は参照によりここに含められる。
【０００３】
一般に、肌は紫外線にさらされ、ザラザラした物質がより厚く付着する。それで、肌はその透過性を失い、肌の代謝作用は低下し、湿り気と滋養物を円滑に与えることに失敗する。
上記事実によって引き起こされる老齢からくる劣化の進行を阻止する手段として、マッサージによるスキンケアがいずれは使われる。
スキンケアは２つの方法に分けられる。一つの方法はマッサージにおいて肌に機能的な化粧品を塗ることであり、他の方法は肌のマッサージにおいて肌に物理的な刺激を与えることである。
【０００４】
上述した方法の中で、機能的化粧品を塗ることによって肌の老化の進行を防止し、ひいては肌の湿り気を維持することにおいて、湿り気の維持は弾力性のある肌を保つことにおける第２の要因であり、湿り気の維持機能が低下すると、崩れること、および弾力性と伸縮性がないことが原因で肌はしわを生じる。
このように、肌に塗られた機能的化粧品によって、塗布された湿り気維持クリームが湿り気を維持するだけではなく、滋養物が与えられる。
【０００５】
上述したように、肌に機能的化粧品を塗ることによる肌のマッサージにおいて、主に指が使われ、マッサージは指により肌をこすることによって実行され、肌へのいかなる物理的な刺激も生じず、それゆえ機能的化粧品によるマッサージの効果が期待されるだけである。
従って、機能的化粧品の塗られた肌を指でこすること以外に、マッサージで肌に物理的刺激を与え、ひいては筋肉のリラクセーションを助け、代謝作用を活性化し、弾力性のある健康な肌にするスキンマッサージ装置を使うことによって、効果が倍増する。
【０００６】
続いて、肌に物理的刺激を与えるために作られた既存のスキンマッサージ装置は主として手動タイプと電動タイプに分けられる。
上述したように分類されるスキンマッサージ装置の中で、最新の便利にかつ楽に使用される電動タイプのスキンマッサージ装置が広く使用される。
電動タイプのスキンマッサージ装置は、動力としてモータを持ったマッサージデバイスの前後の往復移動によって肌をたたくように構成される。
【０００７】
上述したように、従来のマッサージデバイスで肌をたたくことによって、肌を構成する皮層と皮下組織まで刺激を与えるために指でこするマッサージが行われるときを超える優れた効果が得られる。けれども、マッサージ装置のマッサージデバイスが駆動モータに直接つながれ、モータの動力によって前進から後退までの移動の動きが実行されるので、マッサージ中に肌に過度に触れるマッサージデバイスのために過負荷が起こる場合には、その過負荷は駆動モータに頻繁に障害を生じさせる。そのようなモータの障害は、マッサージ装置の故障に結び付き、製品に関する負の認識を消費者に植え付ける要因になる。その結果、市場において競争に勝つことが困難になる。
【発明の概要】
【発明が解決しようとする課題】
【０００８】
本発明は従来のマッサージ装置の欠点を解消するためになされたものであり、このマッサージ装置は、マッサージ中にマッサージクリームが塗られた肌をこするとき、マッサージで肌に物理的な刺激を与え、ひいては筋肉のリラクセーションを助け、代謝作用を活性化し、弾力性のある健康な肌にする。本発明の目的は、たたき部材が駆動モータに生じる過負荷を最小にするように改善されたスキンマッサージ装置を提供することである。それによって、駆動モータの障害によって引き起こされる消費者の不信や問題に実質的に有利に対処すること、マッサージ装置の信頼性を確保すること、ひいては家庭でのマッサージ装置の使用を促進すること、マッサージを受けるために専門技術を持つビューティーショップを探して肌のケアを受ける負担を解消すること、同時に専門技術を持つビューティーショップの使用時間と休憩時間を使うスキンケアの削減に伴って経済的負担を減少させることが付加的な時間の追加なしに可能であり、消費者のニーズを満足させることができる。
【課題を解決するための手段】
【０００９】
上記目的を達成するために、本発明は、マッサージクリームが塗られた肌をこすり、マッサージで肌に物理的な刺激を与え、ひいては筋肉のリラクセーションを助け、代謝作用を活性化し、弾力性のある健康な肌にするスキンマッサージデバイスであって、たたき部材２１を前後に往復して平行移動させるための作動デバイス１５が、回転スイッチ１２のオン／オフの変化に従ってバッテリー１００の電気エネルギーが選択的に供給／遮断される駆動モータ１３の回転軸１４に取り付けられ、作動デバイス１５と相互作用する間ずっと物理的な刺激を与えるたたき部材２１を含むとともに、前記作動デバイス１５が、媒体として接続部１６ａを使って前記駆動モータ１３の回転軸１４に取り付けられ、一方の側が低く、他方の側が高い傾斜面１６ｃで形成される円形プレートカム１６ｂで作られる主動力部材１６と、前記主動力部材１６の円形プレートカム１６ｂの傾斜面に対応する傾斜面１７ｃを持ち、同時にお互いに向き合う平面で接触する円形プレートカム１７ｂを持つ受動部材１７と、を備え、前記円形プレートカム１７ｂの下部には接続柱２１ｂの接続される接続パイプ１７ａが形成され、前記接続柱２１ｂが前記たたき部材２１のヘッドマウンティング円形プレート２１ａの上部に形成され、前記円形プレートカム１７ｂの下部が接続パイプ１７ａの外側に置かれた反発ばね２３によって弾力性を持って支持されることを特徴とするスキンマッサージデバイスとして提案される。
【発明の効果】
【００１０】
本発明のスキンマッサージ装置は、マッサージ中にマッサージクリームが塗られた肌をこするとき、マッサージで肌に物理的な刺激を与え、ひいては筋肉のリラクセーションを助け、代謝作用を活性化し、弾力性のある健康な肌にする。上述したように、このスキンマッサージ装置は、駆動モータに生じる過負荷を最小にするようにたたき部材を改善するという目的にかなった効果を有する。それによって、駆動モータの障害によって引き起こされる消費者の不信や問題に対処すること、マッサージ装置の信頼性を確保すること、ひいては家庭でのマッサージ装置の使用を促進すること、マッサージを受けるために専門技術を持つビューティーショップを探して肌のケアを受ける負担を解消すること、同時に専門技術を持つビューティーショップの使用時間と休憩時間を使うスキンケアの削減に伴って経済的負担を有利に減少させることが付加的な時間の追加なしに可能であり、消費者の切望を満足させることができる。
【図面の簡単な説明】
【００１１】
【図１】本発明に係るスキンマッサージ装置の一実施形態の断面構造である。
【図２】図１のスキンマッサージ装置において、作動デバイスが動作し、ひいてはたたき部材が役割を果たす状態を示す典型的な図である。
【図３】本発明に係るスキンマッサージ装置の他の実施形態の断面構造である。
【図４】図３のスキンマッサージ装置において、作動デバイスが動作し、ひいてはたたき部材が役割を果たす状態を示す典型的な図である。
【図５】本発明に係るスキンマッサージ装置の更に他の実施形態の断面構造である。
【図６】図５のスキンマッサージ装置において、作動デバイスが動作し、ひいてはたたき部材が役割を果たす状態を示す典型的な図である。
【図７】本発明に係るスキンマッサージ装置の更に他の実施形態の断面構造である。
【図８】図７のスキンマッサージ装置において、作動デバイスが動作し、ひいてはたたき部材が役割を果たす状態を示す典型的な図である。
【図９】本発明に係るスキンマッサージ装置の更に他の実施形態の断面構造である。
【図１０】図９のスキンマッサージ装置において、作動デバイスが動作し、ひいてはたたき部材が役割を果たす状態を示す典型的な図である。
【発明を実施するための形態】
【００１２】
以下に、明細書に添付された図面を参照しつつ本発明の望ましい実施形態を更に詳細に説明する。
【００１３】
図１−１０に示すように、本発明のスキンマッサージ装置は、バッテリー１００を収納するバッテリー収納部１１が取り付けられるファーストケース１０と、駆動モータ１３を含んでおり、駆動モータ１３によって作動させられる作動デバイス１５と、作動デバイス１５と相互作用するたたき部材２１を含むセカンドケースとの結合から成る。
【００１４】
ファーストケース１０のバッテリー収納部１１には、収納されたバッテリー１００の＋電極と−電極に接続される接続プレート１１ａ、１１ｂと、バッテリー１００の電気エネルギーを選択的に供給するためのロータリースイッチ１２が取り付けられる。バッテリー１００はその電気エネルギーを駆動モータ１３に供給する。
駆動モータ１３はその近くに取り付けられ、駆動モータ１３の＋、−接続端子１３ａ、１３ｂは接続プレート１１ａ、１１ｂに接続される。
バッテリー収納部１１の反対側には、駆動モータ１３によって作動する作動デバイス１５が取り付けられる。
【００１５】
作動デバイス１５は、駆動モータ１３の回転軸１４に接続される主動力部材１６と、主動力部材１６と相互作用する受動部材１７とで構成される。
受動部材１７は、ばね１８の反発弾性力を受けるためにセカンドケース２０の内側に取り付けられる。そして、受動部材１７には、たたき部材２１が取り付けられる。
【００１６】
主動力部材１６は、媒体として接続部１６ａを使って駆動モータ１３の回転軸１４に取り付けられる鍵であり、一方の側が低く、他方の側が高い傾斜面１６ｃで形成される円形プレートカム１６ｂで作られる。そして、受動部材１７は、主動力部材１６の円形プレートカム１６ｂの傾斜面に対応する傾斜面１７ｃを持ち、同時にお互いに向き合う平面で接触する円形プレートカム１７ｂを持つ。円形プレートカム１７ｂの下部には接続柱２１ｂの接続される接続パイプ１７ａが形成され、接続柱２１ｂはたたき部材２１のヘッドマウンティング円形プレート２１ａの上部に形成される。
【００１７】
円形プレートカム１７ｂの接続パイプ１７ａは、往復運動を可能にするために外側に弾性反発力を与える反発ばね２３である。
セカンドケース２０の内側に置かれた作動デバイス１５の受動部材１７に取り付けられるたたき部材２１は、受動部材１７の接続パイプ１７ａへの取り付け部に挿入される接続柱２１ｂを持つ。そして、接続柱２１ｂの端部に形成されるヘッドマウンティング円形プレート２１ａは、多数の刺激突起２２ａが不規則に配置されたたたきヘッド２２で集合的にモールドされる。たたきヘッド２２はゴム材料によって射出成型される。
【００１８】
作動デバイス１５の他の実施形態の主動力部材１６は、駆動モータ１３に取り付けられる主動力かさ歯車１６ｄと、主動力かさ歯車１６ｄとかみ合って相互作用する受動かさ歯車１６ｅと、受動かさ歯車１６ｅと相互作用するために同軸に取り付けられるカム１６ｆと、主動力部材１６のカム１６ｆに近接して前後に動き、たたき部材２１の接続柱２１ｂにはめ込まれる接続パイプ１７ａを持って形成され、前進の後で回復するために反発ばね２３の反発を受けるように設置される受動部材１７とで構成される。
【００１９】
作動デバイス１５の更に他の実施形態の主動力部材１６は、駆動モータ１３に取り付けられる主動力かさ歯車１６ｄと、主動力かさ歯車１６ｄとかみ合って相互作用する受動かさ歯車１６ｅと、受動かさ歯車１６ｅと相互作用するために同軸に取り付けられるカム１６ｆと、一端が主動力部材１６のカム１６ｆにヒンジ接続され、他端がたたき部材２１の接続柱２１ｂにヒンジ接続されるクランク棒１８とで構成される。
【００２０】
作動デバイス１５の更に他の実施形態の主動力部材１６の取り付けでは、接続部１６ａが駆動モータ１３に取り付けられる鍵であり、受動部材１７のガイド突起１７ｄを導くためのらせん状溝１６ｇが内縁の表面に形成され、垂直ガイド穴１６ｈ’を持つガイドパイプ１６ｈがセカンドケース２０の内側に固定されて配置される。それで、受動部材１７は循環せずに前後に往復運動する。
主動力部材１６と相互作用する受動部材１７では、ガイドパイプ１６ｈの垂直ガイド穴１６ｈ’を通るガイド突起１７ｄは、その端部が主動力部材１６のらせん状溝１６ｇに置かれ、外縁の表面に面するように形成される。そして、たたき部材２１の接続柱２１ｂに接続する接続パイプ１７ａが形成される。
【００２１】
図９と図１０は本発明の他の実施形態であり、たたき部材２１の接続柱２１ｂが、直接ソレノイド１９のピストン棒に接続され、前後に動くように、できる限り構成される。
【００２２】
上述した構成を備えた本発明のスキンマッサージ装置を使って肌のマッサージを行う場合には、最初に肌に潤いを与えるためにマッサージする部分にマッサージクリームを塗り、それから辺り一面をたたくことが効果を倍にする。
【００２３】
本発明のスキンマッサージ装置を用いて肌をたたき、マッサージするとき、回転スイッチ１２は回転してオフ状態からオン状態に配置される。
上述したように、回転スイッチ１２がオフ状態からオン状態に移ると、バッテリー収納部１１に取り付けられたバッテリー１００の電気エネルギーが駆動モータ１３に供給される。このように、電気エネルギーを供給された駆動モータ１３が駆動し、受動部材１７と相互作用する回転軸１４に接続された作動デバイス１５の主動力部材１６に駆動モータ１３の駆動によって生じる回転力が送られる。それで、主動力部材１６が受動部材１７と相互作用し、受動部材１７に取り付けられたたたき部材２１が前後に往復して動く。
【００２４】
上述したように、たたき部材が前後に往復して動くとき、たたき部材を構成するたたきヘッドの刺激突起２２ａは肌に物理的刺激を十分に与える。そしてそれは、筋肉のリラクセーションを助け、代謝作用を活性化し、弾力性のある健康な肌にすることができる。
【００２５】
次に、たたき部材２１を往復して動かすことによって肌のマッサージを許す作動デバイス１５の動作状態を各実施形態について記載する。
図１と図２に例示された作動デバイス１５に関し、上述した回転スイッチ１２がオフからオン状態に変わり、駆動モータ１３がバッテリー１００の電気エネルギーによって回転するとき、図１に示すように受動部材１７の傾斜面１７ｃの上の表面に接触する主動力部材１６の傾斜面１６ｃが連続的に図２に示すように配置される手順を繰り返す。そして、受動部材１７に取り付けられたたたき部材２１は前進し、たたき部材２１の前進によって圧縮された反発ばね２３の反発力によって受動部材が後方に動き、それによってたたき部材２１は絶え間なく往復して動く。
上述したように、たたき部材２１が往復して動くので、たたき部材を構成するたたきヘッド２２の刺激突起２２ａは、肌に物理的な刺激を与え、上に列挙したように健康的な肌の維持に役立つ。
【００２６】
図３と図４は作動デバイス１５の他の実施形態であり、バッテリー１００の電気エネルギーによって駆動モータ１３を回転させるために回転スイッチ１２がオフからオン状態に変わるとき、主動力部材１６を構成する主動力かさ歯車１６ｄが動作し、上述したように相互作用する主動力かさ歯車１６ｄと連動する受動かさ歯車１６ｅが一緒に動作する。
上述したように、受動かさ歯車１６ｅが相互作用しているとき、受動かさ歯車１６ｅと同軸に取り付けられたカム１６ｆが一緒に動作し、受動部材１７を動かすために図３の状態にあるカム１６ｆが図４に示すように配置される。
【００２７】
上述したように、受動部材１７が動くので、媒体として接続柱２１ｂを使って接続パイプ１７ａに取り付けられたたたき部材２１は前進し、たたき部材２１の前進によって圧縮される反発ばね２３の反発力によって受動部材１７は後退する。それで、たたき部材２１は連続的に往復して動く。
上述したように、たたき部材２１が往復して動くので、たたき部材２１を構成するたたきヘッド２２の刺激突起２２ａは、上述したように健康的な肌を維持するために肌に物理的な刺激を与える。
【００２８】
図５と図６は作動デバイス１５の他の実施形態であり、バッテリー１００の電気エネルギーによって駆動モータ１３を回転させるために回転スイッチ１２がオフからオン状態に変わるとき、主動力部材１６を構成する主動力かさ歯車１６ｄが動作し、上述したように相互作用する主動力かさ歯車１６ｄと連動する受動かさ歯車１６ｅが一緒に動作する。
上述したように、受動かさ歯車１６ｅが相互作用しているとき、受動かさ歯車１６ｅと同軸に取り付けられたカム１６ｆが一緒に動作し、受動部材１７に対応するクランク棒１８を動かすために図５の状態にあるカム１６ｆが図６に示すように配置される。
【００２９】
このように、カム１６ｆと相互作用するクランク棒１８の一端がカム１６ｆにヒンジ接続し、他端がたたき部材２１の接続柱２１ｂにヒンジ接続する。それで、たたき部材２１は連続的に往復して動く。
上述したように、たたき部材２１が往復して動くので、たたき部材２１を構成するたたきヘッド２２の刺激突起２２ａは、上述したように健康的な肌を維持するために肌に物理的な刺激を与える。
【００３０】
図７と図８は作動デバイス１５の他の実施形態であり、バッテリー１００の電気エネルギーによって駆動モータ１３を回転させるために回転スイッチ１２がオフからオン状態に変わるとき、図７に示すように主動力部材１６のらせん状溝１６ｇの上部に置かれた受動部材１７のガイド突起１７ｄが図８に示すようにらせん状溝１６ｇの下に配置される。それで、接続パイプ１７ａに接続された接続柱２１ｂに取り付けられているたたき部材２１が前進する。このとき、受動部材１７が回転せずに前方へ動くのは、セカンドケース２０に固定されたガイドパイプ１６ｈの垂直ガイド穴１６ｈ’にガイド突起１７ｄが導かれるためである。
【００３１】
このように、前進状態において駆動モータ１３は後方に駆動する。それで、たたき部材２１は連続的に往復して動く。
上述したように、たたき部材２１が往復して動くので、たたき部材２１を構成するたたきヘッド２２の刺激突起２２ａは、上述したように健康的な肌を維持するために肌に物理的な刺激を与える。
【００３２】
図９と図１０は本発明の他の実施形態であり、たたき部材２１の前後の往復運動がソレノイド１９によって実行される発明であって、たたき部材２１の接続柱２１ｂはソレノイド１９のピストン棒に直接結び付く。
たたき部材２１に接続されたソレノイド１９がピストン棒のストローク距離まで前後に往復して動く間ずっと、たたきヘッド２２の刺激突起２２ａは、上述したように健康的な肌を維持するために肌に物理的な刺激を染み込ませる。
【符号の説明】
【００３３】
１０…ファーストケース、１１…バッテリー収納部、１２…回転スイッチ、１３…駆動モータ、１４…回転軸、１５…作動デバイス、１６…主動力部材、１６ａ…接続部、１６ｂ…円形プレートカム、１６ｃ…傾斜面、１６ｄ…主動力かさ歯車、１６ｅ…受動かさ歯車、１６ｆ…カム、１６ｇ…らせん状溝、１６ｈ…ガイドパイプ、１６ｈ’…垂直ガイド穴、１７…受動部材、１７ａ…接続パイプ、１７ｂ…円形プレートカム、１７ｃ…傾斜面、１７ｄ…ガイド突起、２０…セカンドケース、２１…たたき部材、２１ａ…ヘッドマウンティング円形プレート、２２…たたきヘッド、２２ａ…刺激突起
【図１】
0005350473.tif 000002
【図２】
0005350473.tif 000003
【図３】
0005350473.tif 000004
【図４】
0005350473.tif 000005
【図５】
0005350473.tif 000006
【図６】
0005350473.tif 000007
【図７】
0005350473.tif 000008
【図８】
0005350473.tif 000009
【図９】
0005350473.tif 000010
【図１０】
0005350473.tif 000011